(57)【要約】【課題】  多数のディスクをそれぞれのケースに収納して本棚やディスクラックなどに重ねて保存する場合に、どのディスクにどのコンテンツが記録されているかを特定可能とし、また、ディスク面にラベルを貼ることができない光ディスクをメディアとする光ディスク記録装置にも利用可能とする。【解決手段】  メインＣＰＵ部１１はＤＶＤ１５ａのタイトル情報、記録開始日付、記録開始日時の情報１００を取得すると（ステップＳ１）、情報１００の印刷サイズがＤＶＤケースの背表紙印字範囲内か否かを判断し（ステップＳ２）、印字範囲内でなければ印字可能文字数以上をカットして背表紙ラベル１０１の印刷情報を生成し（ステップＳ３）、ラベルプリンタ２ａ、２ｂに出力する。【選択図】  図５
2006338821.tif 000002
【特許請求の範囲】
【請求項１】
コンテンツ及び前記コンテンツのタイトル情報を記録したディスクから前記タイトル情報を読み出す手段と、
読み出された前記タイトル情報から、前記ディスクを収納するディスクケースの背表紙の印刷範囲内に納まる文字数の背表紙タイトルの印刷情報を生成し、前記生成された背表紙タイトルの印刷情報を出力する出力手段とを、
備えたディスク記録装置。
【発明の詳細な説明】
【技術分野】
【０００１】
本発明は、ＤＶＤやＭＤなどの着脱自在なディスクに映像や音楽のコンテンツを記録するディスク記録装置に関し、特にディスクに記録されているコンテンツに関する情報のラベル印刷に関する。
【背景技術】
【０００２】
ディスクに記録されているコンテンツに関する情報のラベル印刷に関する従来例として、下記の特許文献１には、ディスクの表面に設けられているラベル部のサイズ内に納まるラベル印刷情報を外部プリンタに出力する方法が開示されている。
【特許文献１】特開平１１−２９６０８２号公報（要約書）
【発明の開示】
【発明が解決しようとする課題】
【０００３】
しかしながら、上記従来例では、ディスクの表面に設けられているラベル部のサイズ内に納まるラベルを印刷するので、ユーザにとって多数のディスクをそれぞれのケースに収納して本棚やディスクラックなどに重ねて保存する場合に、ディスクの表面は見えないので、どのディスクにどのコンテンツが記録されているかを特定することができないという問題点がある。また、光ディスクによっては、ディスク面にラベルを貼って剥がすと、ディスク自体や記録情報が破損するものもあるので、このような光ディスクには利用することができない。
【０００４】
本発明は上記従来例の問題点に鑑み、ユーザにとって多数のディスクをそれぞれのケースに収納して本棚やディスクラックなどに重ねて保存する場合に、どのディスクにどのコンテンツが記録されているかを特定することができ、また、ディスク面にラベルを貼ることができない光ディスクをメディアとする光ディスク記録装置にも利用することができるディスク記録装置を提供することを目的とする。
【課題を解決するための手段】
【０００５】
本発明は上記目的を達成するために、コンテンツ及び前記コンテンツのタイトル情報を記録したディスクから前記タイトル情報を読み出す手段と、
読み出された前記タイトル情報から、前記ディスクを収納するディスクケースの背表紙の印刷範囲内に納まる文字数の背表紙タイトルの印刷情報を生成し、前記生成された背表紙タイトルの印刷情報を出力する出力手段とを、
備えたことを特徴とする。
【発明の効果】
【０００６】
本発明によれば、ディスクに記録されているコンテンツのタイトル情報から生成された印刷情報を、ディスク面ではなく、ディスクを収納するディスクケースの背表紙の印刷範囲内に納まる文字数の背表紙タイトルの印刷情報に処理して外部プリンタなどに出力するので、ユーザにとって多数のディスクをそれぞれのケースに収納して本棚やディスクラックなどに重ねて保存する場合に、ディスクケースの背表紙により、どのディスクにどのコンテンツが記録されているかを特定することができる。また、ディスク面にラベルを貼ることができない光ディスクをメディアとする光ディスク記録装置にも利用することができる。
【発明を実施するための最良の形態】
【０００７】
以下、図面を参照して本発明の実施の形態について説明する。
＜第１の実施の形態＞
図１は本発明に係るディスク記録装置の第１の実施の形態としてＤＶＤレコーダを示す構成図、図２は図１のＤＶＤレコーダが出力するＤＶＤナビ画面を示す説明図、図３は図１のＤＶＤレコーダが出力する印刷情報により印刷される背表紙ラベルを示す説明図である。
【０００８】
図１におけるＤＶＤレコーダ１は、記録メディアとして１２ｃｍのＤＶＤ１５ａ（図４参照）に記録可能であり、ＤＶＤ１５ａには管理情報であるＶＭＧ（ビデオマネージャ）が記録される。また、デジタルＴＶ放送を受信して記録する場合、デジタルＴＶ放送コンテンツは、ＥＰＧ（電子プログラムガイド）としてＴＶ放送コンテンツの放送日、放送開始時間、放送チャネル、放送番組名を含むので、この情報をコンテンツ管理情報としてＤＶＤ１５ａのＶＭＧ領域に記録することができる。ＤＶＤレコーダ１を不図示の外部モニタ（ＴＶ受像機）に接続すると、ＤＶＤ１５ａに記録されているコンテンツ管理情報は、図２に示すようにＤＶＤナビ画面４の各ウィンドウ５内に表示される。ここで、図２は１枚のＤＶＤ１５ａに３本のＴＶ放送コンテンツが記録されてそれぞれのタイトル情報が各ウィンドウ５内に表示されていることを示す。そして、ＤＶＤレコーダ１がラベルプリンタ２ａ又はラベルプリンタ２ｂにケーブル３を介して接続された状態で図２に示すＤＶＤナビ画面４上の「背表紙出力」ボタン６が選択されると、ＤＶＤ１５ａのラベル印刷情報として、図３に示すようにラベルプリンタ２ａ又はラベルプリンタ２ｂが不図示のＤＶＤケースの背表紙サイズと一致するようにタイトルを印刷した背表紙ラベル１０１を出力可能な印刷情報（タイトル情報）をラベルプリンタ２ａ又はラベルプリンタ２ｂに出力する。
【０００９】
＜ＤＶＤレコーダ１の具体例＞
図４はＤＶＤレコーダ１の具体的構成を示すブロック図、図５はＤＶＤレコーダ１の背表紙ラベル印刷情報の出力処理を説明するためのフローチャートである。ＤＶＤレコーダ１は概略的には、メインＣＰＵ部（MAIN CPU & DSP）１１と、サブＣＰＵ部（SUB CPU）１２と、操作部（Operation）１３と、チューナ制御ユニット（TU CTL UNIT）１４と、ＤＶＤドライブ部（DVD FE）１５と、周辺メモリバス（Peripheral Memory Bus）１６と、ＣＯＤＥＣ部（CODEC）１７と、アナログインタフェース(Analog I/F)１８と、メモリとしてＳＤＲＡＭ部１９、２０、プログラムメモリ２１及びワークメモリ２２などを有する。
【００１０】
図１において、ユーザが操作部１３を操作してナビゲーション状態にすると、図２に示すＤＶＤナビ画面４を表示するための情報がアナログインタフェース１８を介して不図示の外部モニタ（ＴＶ受像機）に出力される。この状態で図２に示すＤＶＤナビ画面４上の「背表紙出力」ボタン６が選択されると、背表紙ラベル印刷情報出力要求がサブＣＰＵ部１２からメインＣＰＵ部１１に渡る。メインＣＰＵ部１１はＵＡＲＴ（Universal Asynchronous Receiver Transmitter）インタフェース１１１を通じてラベルプリンタ２ａ、２ｂが接続されているか否かを確認し、接続を確認すると、ＤＶＤ１５ａのＲＴＲ＿ＶＭＧ領域の情報をＤＶＤドライブ部１５を経由して読み出し、内部バス（AMBA Bus）１１２、周辺メモリバス１６を経由してＳＤＲＡＭ部１９に格納する。次いでメインＣＰＵ部１１がＣＯＤＥＣ部１７にＳＤＲＡＭ部１９の格納情報のデコード要求を出力すると、ＣＯＤＥＣ部１７はＳＤＲＡＭ部１９の格納情報を内部バス１１２を経由して読み込んでタイトル情報にデコードし、デコードしたタイトル情報を周辺メモリバス１６、内部バス１１２を経由してＳＤＲＡＭ部１９の別の領域に格納する。
【００１１】
次いでメインＣＰＵ部１１はＤＶＤ１５ａのＶＲ．ＭＡＮＧＲ．ＩＦＯ領域の情報をＤＶＤドライブ部１５を経由して読み出し、内部バス１１２、周辺メモリバス１６を経由してＳＤＲＡＭ部１９に格納する。次いでメインＣＰＵ部１１がＣＯＤＥＣ部１７にＳＤＲＡＭ部１９の格納情報のデコード要求を出力すると、ＣＯＤＥＣ部１７はＳＤＲＡＭ部１９の格納情報を内部バス１１２を経由して読み込んで日付、時間、チャネルの情報にデコードし、デコードしたタイトル情報を周辺メモリバス１６、内部バス１１２を経由してＳＤＲＡＭ部１９の別の領域に格納する。次いでメインＣＰＵ部１１はＳＤＲＡＭ部１９からタイトル、日付、時間、チャネルの情報を取り出して所定のサイズにしてＵＡＲＴインタフェース１１１内の出力レジスタに格納し、次いでＵＡＲＴインタフェース１１１を通じてラベルプリンタ２ａ、２ｂに出力する。次いでメインＣＰＵ部１１はサブＣＰＵ部１２に背表紙情報出力完了を通知して処理を終了する。
【００１２】
図５を参照してメインＣＰＵ部１１の背表紙ラベル印刷情報の出力処理をさらに詳しく説明する。まず、１２ｃｍメディアであるＤＶＤ１５ａのタイトル情報、記録開始日付、記録開始日時の情報１００を取得すると（ステップＳ１）、情報１００の印刷サイズがＤＶＤケースの背表紙印字範囲内か否かを判断し（ステップＳ２）、印字範囲内でなければ印字可能文字数以上をカットして背表紙ラベル１０１の印刷情報を生成する（ステップＳ３）。ステップＳ２でＹＥＳの場合、及びステップＳ３の終了後、外部の背表紙印字装置であるラベルプリンタ２ａ、２ｂと通信を開始して１２ｃｍメディアを背表紙印字装置に通知するとともに、オーバータイムを設定する（ステップＳ４）。次いでオーバータイム内に通信が成立したか否かを判断し（ステップＳ５、Ｓ７）、オーバータイム内に通信が成立しなければ背表紙印字装置の準備ができていない旨を示すメッセージを図２に示すＤＶＤナビ画面４などに表示し（ステップＳ６）、次いでステップＳ１に戻る（なお、図５中「ＲＴ」は「リターン」（戻る）を示す）。オーバータイム内に通信が成立すれば、メディア認識がＯＫか否かを判断し（ステップＳ８）、ＯＫでなければ１２ｃｍメディア用になっていない旨を示すメッセージをＤＶＤナビ画面４などに表示し（ステップＳ９）、次いでステップＳ１に戻る。メディア認識がＯＫであれば、ステップＳ３において生成した背表紙ラベル１０１の印刷情報の出力を開始し（ステップＳ１０）、外部の背表紙印字装置の受信が完了すると（ステップＳ１１でＹ）、通信終了処理を実行し（ステップＳ１２）、次いでステップＳ１に戻る。
【００１３】
＜第２の実施の形態＞
次に図６〜図８を参照して本発明に係るディスク記録装置の第２の実施の形態について説明する。図６は第２の実施の形態としてＭＤレコーダ７を示し、ＭＤレコーダ７は楽曲コンテンツなどを不図示のＭＤに記録可能である。楽曲コンテンツは楽曲名を含み、この楽曲名は図７に示すようにＭＤプレイリスト画面８でＭＤレコーダ７の表示部に表示される。そして、ＭＤレコーダ７がラベルプリンタ２ａにケーブル３を介して接続された状態で図７に示すＭＤプレイリスト画面８上の「背表紙出力」ボタン９が選択されると、ＭＤのラベル印刷情報として、図８に示すようにラベルプリンタ２ａがＭＤケースの背表紙サイズと一致するようにタイトルを印刷した背表紙ラベル１０を出力可能な印刷情報をラベルプリンタ２ａに出力する。
【図面の簡単な説明】
【００１４】
【図１】本発明に係るディスク記録装置の第１の実施の形態としてＤＶＤレコーダを示す構成図である。
【図２】図１のＤＶＤレコーダが出力するＤＶＤナビ画面を示す説明図である。
【図３】図１のＤＶＤレコーダが出力する印刷情報により印刷される背表紙ラベルを示す説明図である。
【図４】図１のＤＶＤレコーダを詳しく示すブロック図である。
【図５】図１のＤＶＤレコーダの背表紙ラベル印刷情報の出力処理を説明するためのフローチャートである。
【図６】本発明に係るディスク記録装置の第２の実施の形態としてＭＤレコーダを示す構成図である。
【図７】図６のＭＤレコーダのプレイリスト画面を示す説明図である。
【図８】図６のＭＤレコーダが出力する印刷情報により印刷される背表紙ラベルを示す説明図である。
【符号の説明】
【００１５】
１  ＤＶＤレコーダ
２ａ、２ｂ  ラベルプリンタ
３  ケーブル
４  ＤＶＤナビ画面
５  ウィンドウ
６、９  「背表紙出力」ボタン
７  ＭＤレコーダ
８  ＭＤプレイリスト画面
１０、１０１  背表紙ラベル
１１  メインＣＰＵ部
１２  サブＣＰＵ部
１３  操作部
１４  チューナ制御ユニット
１５  ＤＶＤドライブ部
１５ａ  ＤＶＤ
１６  周辺メモリバス
１７  ＣＯＤＥＣ部
１８  アナログインタフェース
１９、２０  ＳＤＲＡＭ部
２１  プログラムメモリ
２２  ワークメモリ
１１１  ＵＡＲＴインタフェース
１１２  内部バス
【図１】
2006338821.tif 000003
【図２】
2006338821.tif 000004
【図３】
2006338821.tif 000005
【図４】
2006338821.tif 000006
【図５】
2006338821.tif 000007
【図６】
2006338821.tif 000008
【図７】
2006338821.tif 000009
【図８】
2006338821.tif 000010